(57)【要約】      （修正有）【課題】パターのフェイス面でゴルフボールの打ち出し方向を、見誤ることなく、簡便に決定し且つ安定感と安心感を持って行えるゴルフパターの提供。【解決手段】短柵型ヘッドのフェース面と反対箇所に、二箇の等径巾で等量の疣状体３をフェース面の打ち出し方向と対称の一定寸法離間した関係位置へ平行に取付け、且つパッティングのさいにこれら等径巾で等量の疣状体間の中央二等分線とインプレーボールの打ち出し方向とを一致させるものにする。このさい疣状体３は、その巾寸法がゴルフボールの直径寸法と同一で、且つゴルフボールを疑似視可能にする形状のもの、或いはゴルフボールである。【選択図】図１
0003104464.tif 000002
【実用新案登録請求の範囲】
【請求項１】
短柵型ヘッドのフェース面と反対箇所に、二箇の等径巾で等量の疣状体をフェース面の打ち出し方向と対称の一定寸法離間した関係位置へ平行に取付け、且つパッティングのさいにこれら等径巾で等量の疣状体間の中央二等分線とインプレーボールの打ち出し方向とを一致させるものとなしたことを特徴とするゴルフパター。
【請求項２】
上記二箇の等径巾で等量の疣状体は、短柵型ヘッドのフェース面と反対箇所の端縁部に取付けてあることを特徴とした請求項１記載のゴルフパター。
【請求項３】
上記二箇の等径巾で等量の疣状体は、その巾寸法がゴルフボールの直径寸法と同一で、且つゴルフボールを疑似視可能にする形状であることを特徴とした請求項１又は２記載のゴルフパター。
【請求項４】
上記二箇の等径巾で等量の疣状体は、ゴルフボールをフェース面へ脱着不能に取付けるものとなしてあることを特徴とした請求項１、２又は３記載のゴルフパター。
【考案の詳細な説明】
【技術分野】
【０００１】
本考案はゴルフパターに関する。
【背景技術】
【０００２】
ゴルフパターはグリーン上で必ず使用するものであって、グリーン上に於けるその打数はスコアメークに大きな影響を与えるものとなることから、如何なる条件下であっても、その打数を可及的に少なくするがための可能性を求めて、数多パター製品の提供がなされている。
【特許文献１】特開平１０−１９２４６１
【特許文献２】特開２００２−３４６００８
【考案の開示】
【考案が解決しようとする課題】
【０００３】
本考案はグリーン上に於いて、パターのフェイス面でゴルフボールの打ち出し方向を、見誤ることなく簡便に決定し、且つ安定感と安心感を持って行えることを可能にするゴルフパターを提供せんとするものである。
【課題を解決するための手段】
【０００４】
本考案は、短柵型ヘッドのフェース面と反対箇所に、二箇の等径巾で等量の疣状体をフェース面の打ち出し方向と対称の一定寸法離間した関係位置へ平行に取付け、且つパッティングのさいにこれら等径巾で等量の疣状体間の中央二等分線とインプレーボールの打ち出し方向とを一致させるものとなしたことを特徴とする。このさい、二箇の等径巾で等量の疣状体は、短柵型ヘッドのフェース面と反対箇所の端縁部に取付けたり、上記巾寸法をゴルフボールの直径寸法と同一で、且つゴルフボールを疑似視可能にする形状となすのであり、またこれに代わり直接ゴルフボールをフェース面に対して脱着不能に取付けたりするのである。
【考案の効果】
【０００５】
本考案に係るゴルフパターは、各自が夫々れに設定したライン上へ、適確に且つ迅速にパターヘッドを打ち出すことができるものとなるのであり、これによりワンパッットでカップインする確率の非常に高いものとなる。とりわけショートパットではその確率度が１００％に近いものとなる。
【考案を実施するための最良の形態】
【０００６】
図１は、本考案に係るゴルフパターの全体斜視図であって、１は短柵型をなしたヘッド、２はシャフトである。図２は上記に於けるＸ−Ｘ線切断の拡大平面図、図３は同じく他の例の拡大平面図、図４Ａ，Ｂはこれらパターヘッドによる使用説明図である。これら図面から明らかな通り短柵型となしたヘッド１の打ち出しフェース面１ａと反対する面１ｂには２箇の等径巾で等量の疣状体３，３（３’，３’）を取付けたものとなしてある。
【０００７】
図面でｐは短柵型ヘッド１の重心軌道であって、図２では疣状体３，３（３’，３’）の取付けにさいし、該重心軌道ｐと対称で且つ一定寸法離間させた関係位置（図示例ではヘッド１の両端縁箇所）に取付けるものとなすのである。
【０００８】
上記図示例のシャフト２のネック２ａは、スイートスポットと重心軌道ｐの線上と一致する状態に取付けたものを示しているが、ネック２ａをこれに限らない他の箇所へ位置させることができる。但し、その取付けには直線部をなすシャフト２との関係で、スイング時に於けるヘッド１の重心軌道ｐ上へスイートスポットが形成されるよう、適宜必要な形状のネックに作成して行われるようにするのである。このさい、重心軌道ｐ上で且つスイートスポットを形成するヘッド１の当該上面には、適宜目印用の刻印（図示せず）を取付けるようにすると良い。
【０００９】
ここに、疣状体３，３はその巾寸法ｓをゴルフボールの直径Ｒと同一寸法に形成させるのであり、またその長さ寸法Ｌについても該直径Ｒと同等若しくは少し大となる寸法程度になされるのである。これは図３の実施例に於ける疣状体３’，３’がゴルフボールを取付けたものとなしてあるのと同様に、パッティング時の平面視でゴルフボールの均等物が取付けてあると視覚させるためのものである。本実施例では図３に於けるゴルフボールを取付けたものに比べ、その取付け面積が一定大きさの平面で行われることから、取付け作業の容易性と安定性が確保されるものとなる。
【００１０】
上記疣状体３，３（３’，３’）の取付けにはヘッド面１ａ側から、或いは疣状体３，３（３’，３’）側から夫々れに止め釘４を突出させ、該止め釘４を介して一体的に取付けられるようにするのであるが、接着剤の使用により離脱不能に接着させたりしても差し支えない。
【００１１】
図４は上記した本考案に係るパターの使用説明図であって、Ａはショートパットの場合を、Ｂはロングパットの場合を示しており、５は夫々れインプレーのボール、６はカップである。
図２及び図３から解る通り疣状体３，３（３’，３’）の芯ｍと、インプレーボール５の芯ｎとは、ヘッド１がボール５を打ち出すさい、該ボール５の芯ｎはヘッド１の重心軌道線ｐ（ヘッド１のスイートスポット）上にあって、且つその対称の離間距離位置に於ける疣状体３，３（３’，３’）の芯ｍとの関係で、二等辺三角形或いは正三角形の関係を形成されるものとなるのであり、即ちこれはボール５がその二等分線（重心軌道ｐと同じ）上へ打ち出されることと、相俟って、その打ち出し力を均等なバランス下で行うことができるものとなるのである。しかも、そのヘッド面１ｂの疣状体３，３（３’，３’）が、ゴルフボール或いはこれと同一均等物となされていることから、パッティングアドレス時の俯瞰視で、これらを視覚的に何ら違和感なく捉えることができる。とりわけ、疣状体３，３（３’，３’）間にグリーン面が露出し、且つ該グリーン面上へその二等分線となるラインを容易に設定可能であり、また単に該間隔のみを平行線上で目視するようにするだけで良く、従って手首の平行移動を適正且つ円滑に、将又ヘッドアップすることなく行うことが可能となるのである。
【００１２】
上記の各実施例に於ける図２及び図３で示した疣状体３，３（３’，３’）は、公認球とされるゴルフボールを対象とするものであるが、本考案者の数多実験結果から１割程度の範囲で、その直径や重さを変更させても差し支えなく、同様の作用効果が得られるものであった。又、２箇の疣状体３，３（３’，３’）間の離間寸法は、凡そ２ｃｍ〜４ｃｍ程度の範囲となされるのである。
【００１３】
なお、図示例を省略したが、ヘッド１の底面側は中央のソール面から両端縁に向かって、夫々れ所定角度（例えば、１２〜１３°）に傾いた斜面を形成させるものとなすのであり、これはパッティング時にグリーン面との引っ掛かりを生じさせないようにするためである。
【００１４】
本考案品の使用にさいしては、ヘッド１のネック２ａ（或いはスイングスポットｐ）をインプレーのボール５箇所に位置させると共に、一定寸法に離間させた疣状体３，３（３’，３’）間でその仮想二等分線を想定し、且つ該間隔を凝視しながら、シャフトのネック２ａをその仮想線上へ適当距離平行に引き戻したのち、且つ前方へ一定の力加減で平行に押し出すようにするのである。即ち、パッティング時には偏に２箇の疣状体３，３（３’，３’）のみに集中できることから、絶対にヘッドアップしないパッティングが行えるものとなる。上記動作をアマチュア数人の人により試打して貰ったところ、１ｍ程度のショートパットは１００％の確率でカップインした。これは方向性を適確に認識できることから、芝目やグリーンの傾斜などに何ら影響されない少し強めの打ち出しが可能にできることによるものと考える。また、ロングパットについても、自分の決めたライｋンｋに向かってヘッドアップすることなく打ち出せることから、ラインを見誤らない限りカップインする確率が格段に向上するもとなった。
【図面の簡単な説明】
【００１５】
【図１】本考案に係るゴルフパターの全体斜視図である。
【図２】上記に於けるＸ−Ｘ線切断拡大平面図である。
【図３】他の例の同平面図である。
【図４】Ａ，Ｂは上記の使用状態説明図である。
【符号の説明】
【００１６】
１      ヘッド
２      シャフト
２ａ    ネック
３（３’）    疣状体
４      止め釘
５      ゴルフボール
６      カップ
【図１】
0003104464.tif 000003
【図２】
0003104464.tif 000004
【図３】
0003104464.tif 000005
【図４】
0003104464.tif 000006